(57)【要約】【課題】魚の食い付きによる「あたり」に対し、釣り竿による「合わせ」を必ずしも人為的に行うことなく魚を釣り上げることができる釣り用浮きを提供する。【解決手段】道糸に取り付けられる浮き本体部２と、浮き本体部２に設けられた浮き頭部３とからなり、浮き本体部２は、釣り状態において錘９との重さ関係下で、その上端部分が水面１０と略一致する浮力を有し、一方、浮き頭部３は、水面１０との対向面３ｂが浮き本体部２に対し比較的大きい沈下抵抗を与える面積を有し、浮き本体部２が魚信である「あたり」により所定深さ沈下したとき対向面３ｂが水面による抵抗を受けて浮き本体部２に沈下抵抗を与える。【選択図】図１
2010284122.tif 000002
【特許請求の範囲】
【請求項１】
道糸に取り付けられる浮き本体部と、該浮き本体部に設けられた浮き頭部とからなり、前記浮き本体部は、釣り状態において錘との重さ関係下で、その上端部分が水面と略一致する浮力を有し、一方、前記浮き頭部は、水面との対向面が前記浮き本体部に対し比較的大きい沈下抵抗を与える面積を有し、前記浮き本体部が「あたり」により所定深さ沈下したとき前記対向面が水面による抵抗を受けて前記浮き本体部に沈下抵抗を与えることを特徴とする釣り用浮き。
【請求項２】
請求項１記載の釣り用浮きにおいて、前記浮き頭部は、前記浮き本体部に対し沈下方向に所定長さ摺動可能であることを特徴とする釣り用浮き。
【請求項３】
請求項１記載の釣り用浮きにおいて、前記浮き頭部は、前記浮き本体部と一体であることを特徴とする釣り用浮き。
【請求項４】
請求項１記載の釣り用浮きにおいて、前記浮き頭部は、前記浮き本体部に対し所定長さの紐で連結されていることを特徴とする釣り用浮き。
【請求項５】
請求項１乃至４の何れか一つに記載の釣り用浮きにおいて、前記浮き本体部自身がその下端部に錘を有することを特徴とする釣り用浮き。
【請求項６】
請求項１乃至５の何れか一つに記載の釣り用浮きにおいて、前記浮き頭部は、円盤状又は球体状であることを特徴とする釣り用浮き。
【発明の詳細な説明】
【技術分野】
【０００１】
本発明は、魚の食い付きによる「あたり」に対し、釣り竿による「合わせ」を、必ずしも人為的に行う必要のない釣り用浮きに関する。
【背景技術】
【０００２】
釣り用浮きを用いた釣りにおいては、魚の食い付きによる魚信、つまり「あたり」が浮きの上下動や沈下で認められたとき、釣り人はその瞬時に釣竿による「合わせ」を行って魚を釣り上げる。
【０００３】
釣竿による「合わせ」は、浮きを始終注視する必要があることは勿論のこと、「あたり」が認められときは絶妙なタイミングで釣り竿による合わせ操作を要するので、釣りの熟練者でない釣り人の場合、「合わせ」の好機を逸してしまうという問題がある。
この問題を解決するために、浮きにばねやゼンマイなどの弾性体を設け、「あたり」が生じたときに弾性体の反発力を利用して「合わせ」を自動化した釣り用浮きが従来技術として知られている。
【先行技術文献】
【特許文献】
【０００４】
【特許文献１】特開２００４−１６１６９号公報
【特許文献２】特開平９−３７６９２号公報
【発明の概要】
【発明が解決しようとする課題】
【０００５】
しかしながら、従来技術は、ばねやゼンマイなどを浮きに設けける必要があるので、浮きの構造が複雑になるという問題点がある。
【課題を解決するための手段】
【０００６】
上記の課題を解決するために、請求項１記載の発明は、道糸に取り付けられる浮き本体部と、該浮き本体部に設けられた浮き頭部とからなり、前記浮き本体部は、釣り状態において錘との重さ関係下で、その上端部分が水面と略一致する浮力を有し、一方、前記浮き頭部は、水面との対向面が前記浮き本体部に対し比較的大きい沈下抵抗を与える面積を有し、前記浮き本体部が「あたり」により所定深さ沈下したとき前記対向面が水面による抵抗を受けて前記浮き本体部に沈下抵抗を与えることを特徴とする。
請求項２記載の発明は、請求項１記載の釣り用浮きにおいて、前記浮き頭部は、前記浮き本体部に対し沈下方向に所定長さ摺動可能であることを特徴とする。
請求項３記載の発明は、請求項１記載の釣り用浮きにおいて、前記浮き頭部は、前記浮き本体部と一体であることを特徴とする。
請求項４記載の発明は、請求項１記載の釣り用浮きにおいて、前記浮き頭部は、前記浮き本体部に対し所定長さの紐で連結されていることを特徴とする。
請求項５記載の発明は、請求項１乃至４の何れか一つに記載の釣り用浮きにおいて、前記浮き本体部自身がその下端部に錘を有することを特徴とする。
請求項６記載の発明は、請求項１乃至５の何れか一つに記載の釣り用浮きにおいて、前記浮き頭部は、円盤状又は球体状であることを特徴とする。
【発明の効果】
【０００７】
本発明によれば、魚の食い付きによる「あたり」に対し、釣り竿による「合わせ」を必ずしも人為的に行うことなく魚を釣り上げることができるので、釣りの熟練者でない釣り人でも釣果が得られる効果がある。
【図面の簡単な説明】
【０００８】
【図１】本発明の第１の実施形態に係る釣り用浮きを示す側面図であって、釣り用浮きが水面に浮いている状態を示す。
【図２】本発明の第１の実施形態において、浮き本体部が「あたり」により沈下し、浮き頭部が水面に当接した状態を示す側面図である。
【図３】本発明の第２の実施形態に係る釣り用浮きを示す側面図であって、釣り用浮きが水面に浮いている状態を示す。
【図４】本発明の第３の実施形態に係る釣り用浮きの側面図であって、浮き本体部と、浮き頭部が浮いている状態を示す。
【図５】本発明の第３の実施形態に係る釣り用浮きを示す、一部断面を含む側面図である。
【図６】本発明の第４の実施形態に係る釣り用浮きを示す、一部断面を含む側面図である。
【図７】浮き頭部が球体からなる本発明の第５の実施形態に係る釣り用浮きを示す、一部断面を含む側面図である。
【発明を実施するための形態】
【０００９】
以下、本発明の実施の形態について説明する。
図１は本発明の第１の実施形態を示す。同図において、釣り用浮き１は、棒状の浮き本体部２と、この浮き本体部２の頭部に設けられた直径３５ｍｍ程度の円盤状の浮き頭部３とからなる。
浮き頭部３は、その中央部に穿たれた孔３ａを、浮き本体部２の上端に固植された針金からなる芯軸４に遊嵌することにより、浮き本体部２に対し摺動自在に設けられている。芯軸４の上端には、浮き頭部３が芯軸４から抜け出るのを止めるストッパー５が固定されている。
【００１０】
浮き本体部２は、その下端に設けられた接続環６に道糸７を通すことにより道糸に取り付けられる。符号８は浮き止めを、符号９は錘をそれぞれ示す。
浮き本部は、釣り状態で錘９との重さ関係において、その上端部分が水面１０と略一致する浮力を有し、一方、浮き頭部３は、水面との対向面３ｂが浮き本体部２に対し比較的大きい沈下抵抗を与える面積を有している。
【００１１】
図２において、魚の食い付きによる「あたり」により道糸７が引きずり込まれて浮き本体部２が所定深さ、すなわち、浮き頭部３の上面からストッパー５までの距離に相当する深さだけ、たとえば３０ｍｍ沈下すると、浮き頭部３がストッパー５により押し下げられて、その対向面３ｂが水面１０に正面衝突し、浮き本体部２に瞬間的に沈下抵抗を与え、この沈下抵抗により「合わせ」が生じる。その直後、釣り竿を立ち上げて道糸を引き上げることにより魚を釣り上げることができる。
【００１２】
図３は、本発明の第２の実施形態を示す。
同図において、釣り用浮き２０は、棒状の浮き本体部２２と、この浮き本体部２２の頭部に、所定深さに相当する長さを有する頚部２４を介して設けられた円盤状の浮き頭部２３とからなり、釣り用浮き２０は、浮き本体部２２、頚部２４及び浮き頭部２３を一体成形することにより作られる。あるいは、浮き本体部２２とは別体であって、浮き本体部２２よりも軽い材質からなる浮き頭部を頚部２４の上端に固定してもよい。あるいはまた、浮き本体部２２よりも軽い材質からなる浮き頭部２３と頚部２４とを一体成形し、この成形体を浮き本体部２２の上端に固定してもよい。
釣り用浮き２０は、第１の実施形態と同様、道糸通し穴２６を介して道糸７に取り付けられる。浮き本体部２２が所定深さ沈下すると、浮き頭部２６の対向面３３ｂが水面１０に正面衝突し、浮き本体部２に瞬間的に沈下抵抗を与え、この沈下抵抗により「合わせ」を生じる。
【００１３】
図４は、本発明の第３の実施形態を示す。
同図において、釣り用浮き３０は、棒状の浮き本体部３２と、この浮き本体部３２の上端に、紐３４を介して設けられた円盤状の浮き頭部３３とからなる。
紐３４は、所定深さに相当する長さを有し、その基端が浮き本体部３２の上端に、自由端が浮き頭部３３の下面（対向面）の中央にそれぞれ固定されている。
釣り用浮き３０は、第１の実施形態と同様、道糸通し穴３６を介して道糸７に取り付けられる。浮き本体部３２が所定深さ沈下すると、浮き頭部３６が紐３４で引っ張られて、その対向面３３ｂが水面１０に押し付けられ、浮き本体部３２に瞬間的に沈下抵抗を与え、この沈下抵抗により「合わせ」を生じる。
【００１４】
図５は、中通し浮きを用いた本発明の第４の実施形態を示す。同図において、釣り用浮き４０は、棒状の中通し浮きの浮き本体部４２と、この浮き本体部４２の頭部に設けられた円盤状の浮き頭部４３とからなる。
浮き本体部４２には、道糸７を通すための細管芯軸４４が差し通されており、浮き頭部４３は、その中央部に穿たれた孔４３ａを、細管芯軸４４に遊嵌することにより、浮き本体部４２に対し摺動自在に設けられている。
細管芯軸４４の上端には、浮き頭部４３が細管芯軸４４から抜け出るのを止めるストッパー４５が固定されており、細管芯軸４４に道糸を通すことにより、釣り用浮き４０は道糸に取り付けられる。道糸に設けられる浮き止め８は、細管芯軸４４の上端に位置する。
この釣り用浮き４０による「合わせ」は、第１の実施形態と同様の作用により生じる。
【００１５】
図６は本発明の第５の実施形態を示す。同図において、釣り用浮き５０は、図３に示す第２の実施形態における釣り用浮き５０の中心に貫通孔５０ａを設けた中通し浮きであり、この貫通孔５０ａに道糸７を通して釣り用浮き５０を道糸に取り付ける。道糸７に設けられる浮き止め８は、浮き頭部５３の貫通孔５０ａの上端に位置する。
【００１６】
図７は、図１に示す第１の実施形態における円盤状の浮き頭部３の代わりに球体からなる浮き頭部６０を用いた形態を示す。浮き頭部６０の下半部の球面が対向面６０ｂとなる。
球面球体からなる浮き頭部は、第１乃至第５の実施形態の釣り用浮きにおいても、円盤状の浮き頭部に換えて採用することができる。
【００１７】
本発明において、浮き本体部は、釣り状態で錘との重さ関係において、その上端部分が水面と略一致する浮力に設定されるが、錘は道糸に設けられる従来のものに限らず、浮き本体部の下部に設ける錘を含む。
各実施の形態において、「あたり」によって浮き本体部が沈下し、浮き頭部が水面に衝突するまでの浮き本体部の所定深さは、２０〜４０ｍｍであり、浮き頭部の直径は、３０〜４０ｍｍ、材質は木材あるいは樹脂であって、発泡スチロールなどの軽量な材料の他に、第３の実施形態（図４）及び図７に示す形態を除く実施形態においては、アルミニューム板を用いることもできる。また、各実施の形態における浮き本体部は棒状であるが、棒状浮きに限らず、玉ウキその他、各種形態の浮きを採用することができる。
【符号の説明】
【００１８】
１、２０、３０、４０、５０            釣り用浮き
２、２２、３２、４２、５２            浮き本体部
３、２３、３３、４３、５３、６０      浮き頭部
３ｂ、２３ｂ、３３ｂ、４３ｂ、５３ｂ、６０ｂ  対向面
３ａ、４３ａ、５０ａ              孔
４、４４          芯軸
１０              水面
２４、５４        頚部
５、４５          ストッパー
３４              紐
【図１】
2010284122.tif 000003
【図２】
2010284122.tif 000004
【図３】
2010284122.tif 000005
【図４】
2010284122.tif 000006
【図５】
2010284122.tif 000007
【図６】
2010284122.tif 000008
【図７】
2010284122.tif 000009